(57)【要約】【課題】人の軽い動きでも生じるシャツ等のはみ出しを防止することができるシャツ等を提供する。【解決手段】シャツ等の左右ウエスト下部付近に施した文字・絵・模様等の刺繍部が身体とベルトまたは身体とズボン・スカート等で保持され、摩擦抵抗によりシャツ等のはみ出し等を防止する。【選択図】図１
2007002380.tif 000002
【特許請求の範囲】
【請求項１】
左右のウエスト下方部に文字・絵・模様等の刺繍を施したシャツ等
【発明の詳細な説明】
【技術分野】
【０００１】本発明は、左右のウエスト下方部に文字・絵・模様等の刺繍を施したシャツ等に関し、更に詳しくは、シャツ等のウエスト下方部に施した刺繍部を身体とベルトまたは身体とズボン、スカート等で保持することにより、ズボン、スカート等からのはみ出し等を防止することができるシャツ等に関するものである。ウエスト下方部とは、ズボン、スカート等を着用した場合、ベルト位置またはベルト位置より下方を示す。
【背景技術】
【０００２】従来、ズボン、スカート等のずり落ち及びシャツ等のはみ出しを防止するために、吊りバンド（特願平９−１５３００７）やベルト部裏面に滑り止めが施されたズボン、スカート等（特願平１０−５１４４８８）、またはインナーベルト（特願平１１−１８２４９７）が使用されている。【０００３】刺繍は、もっぱらシャツ等の胸・背中等に施されて、シャツ等のデザインとなっているもので、ズボン・スカートの中に入れて着用するシャツ等の裾部分には文字・絵・模様等の刺繍を施す必要性はなかった。
【発明の開示】
【発明が解決しようとする課題】
【０００４】ワイシャツが背中及び腹部からはみだしている姿は、よく見かける光景で、ファッションに関わる人々にとって悩ましき問題であり、これは女性のブラウス等においても同様の問題である。現在、多くのズボン・スカートのベルト通し裏面に滑り止めが取り付けられていることを見ても、多くのニーズがあるものと考えられる。
しかしながら、上記のような吊りバンドやズボン、スカート等には次のような課題があった。吊りバンドは肩から吊り下げて使用するもので、体の動きが制限されやすく、使用が面倒である。【０００５】ベルト部裏面に滑り止めが施されたズボン、スカート等については、生地の厚いシャツにははみ出し防止効果があるものの、生地の薄いワイシャツやブラウス等ではその効果は大きく低減する。【０００６】インナーベルトも窮屈で、使用が面倒である。【０００７】そこで、本発明の目的は、シャツ等のウエスト下方部を身体とベルト、または身体とズボン、スカート等で保持できることを可能にすることにより、人の軽い動きでも生じるシャツ等のはみ出しを防止することができるシャツ等を提供することにある。
【課題を解決するための手段】
【０００８】上記目的を達成するために講じた本発明の手段は次のとおりである。シャツ等の左右のウエスト下方部に文字・絵・模様等の刺繍を施した。
【発明の効果】
【０００９】本発明は上記構成により、次の効果を有する。生地の表裏に刺繍糸が施されるため、適度な厚みとなり、この刺繍部分が身体とベルトまたは身体とズボン、スカート等との摩擦抵抗によりシャツ等のはみ出し等を防止することができる。同時にズボンまたはスカート等のずれ落ち防止にも効果がある。また、裾をズボン・スカートの中に入れずに着用した場合、シャツ等の新しいデザインとしての効果も生じる。
【発明を実施するための最良の形態】
【００１０】主にズボン・スカートの中に入れて着用するのを目的としたシャツ等の左右ウエスト下方部に文字・絵・模様等の刺繍を施すものである。
【実施例１】
【００１１】実施例１として、シャツ等１の左右ウエスト下方部、ズボン・スカート等着用時のベルト位置から１００ミリから２００ミリ下方の位置に文字・絵・模様等の刺繍を施した。
【実施例２】
【００１２】実施例１の刺繍を、シャツ等１の左右どちらか一方のウエスト下方部に施した。【００１３】本発明はズボンまたはスカート等３の内側に入れて使用するもので、次のように作用する。本発明の刺繍部２がウエスト下方部に位置するため、ベルト４またはズボン、スカート等３と身体５で保持させることができ、摩擦抵抗によりシャツ等のはみ出し等を防止することができる。また、刺繍部の厚さが薄いため、身体の軽い動きを束縛しない。【００１４】なお、本明細書の用語及び表現は説明上のもので、等価の用語及び表現を除外するものではない。また、本発明の刺繍部の位置はウエスト下方部であれば、どの位置でもよい。
【図面の簡単な説明】
【００１５】
【図１】本発明の正面図である。
【図２】本発明の背面図である。
【図３】本発明の刺繍部付近の側面図である。
【図４】本発明の刺繍部付近の断面図である。
【図５】本発明使用時の断面図である。
【符号の説明】
【００１６】１  シャツ等
２  刺繍部
３  ズボンまたはスカート等
４  ベルト
５  身体
【図１】
2007002380.tif 000003
【図２】
2007002380.tif 000004
【図３】
2007002380.tif 000005
【図４】
2007002380.tif 000006
【図５】
2007002380.tif 000007
【手続補正書】
【提出日】平成18年5月29日(2006.5.29)
【手続補正１】
【補正対象書類名】特許請求の範囲
【補正対象項目名】全文
【補正方法】変更
【補正の内容】
【特許請求の範囲】
【請求項１】
左右のウエスト下方部に文字・絵・模様等の刺繍を施した、ズボン・スカートの中に入れて着用するはみ出し防止シャツ。
【手続補正２】
【補正対象書類名】明細書
【補正対象項目名】全文
【補正方法】変更
【補正の内容】
【発明の詳細な説明】
【技術分野】
【０００１】
本発明は、左右のウエスト下方部に文字・絵・模様等の刺繍を施したシャツに関し、更に詳しくは、シャツ等のウエスト下方部に施した刺繍部を身体とベルトまたは身体とズボン、スカート等で保持することにより、ズボン、スカート等からのはみ出し等を防止することができるシャツに関するものである。ウエスト下方部とは、ズボン、スカート等を着用した場合、ベルト位置またはベルト位置より下方を示す。
【背景技術】
【０００２】
従来、ズボン、スカート等のずり落ち及びシャツ等のはみ出しを防止するために、吊りバンド（特願平９−１５３００７）やベルト部裏面に滑り止めが施されたズボン、スカート等（特願平１０−５１４４８８）、またはインナーベルト（特願平１１−１８２４９７）が使用されている。
【特許文献１】特開平１０−３２５００８号公報
【特許文献２】特開２０００−０８０５０１号公報
【０００３】
刺繍は、もっぱらシャツ等の胸・背中等に施されて、シャツ等のデザインとなっているもので、ズボン・スカートの中に入れて着用するシャツ等の裾部分には文字・絵・模様等の刺繍を施す必要性はなかった。
【発明の開示】
【発明が解決しようとする課題】
【０００４】
ワイシャツが背中及び腹部からはみだしている姿は、よく見かける光景で、ファッションに関わる人々にとって悩ましき問題であり、これは女性のブラウス等においても同様の問題である。現在、多くのズボン・スカートのベルト通し裏面に滑り止めが取り付けられていることを見ても、多くのニーズがあるものと考えられる。
しかしながら、上記のような吊りバンドやズボン、スカート等には次のような課題があった。吊りバンドは肩から吊り下げて使用するもので、体の動きが制限されやすく、使用が面倒である。
【０００５】
ベルト部裏面に滑り止めが施されたズボン、スカート等については、生地の厚いシャツにははみ出し防止効果があるものの、生地の薄いワイシャツやブラウス等ではその効果は大きく低減する。
【０００６】
インナーベルトも窮屈で、使用が面倒である。
【０００７】
そこで、本発明の目的は、シャツのウエスト下方部を身体とベルト、または身体とズボン、スカート等で保持できることを可能にすることにより、人の軽い動きでも生じるシャツのはみ出しを防止することができる、ズボン・スカートの中に入れて着用するはみ出し防止シャツを提供することにある。
【課題を解決するための手段】
【０００８】
上記目的を達成するために講じた本発明の手段は次のとおりである。シャツの左右のウエスト下方部に文字・絵・模様等の刺繍を施した。
【発明の効果】
【０００９】
本発明は上記構成により、次の効果を有する。生地の表裏に刺繍糸が施されるため、適度な厚みとなり、この刺繍部分が身体とベルトまたは身体とズボン、スカート等との摩擦抵抗によりシャツのはみ出し等を防止することができる。同時にズボンまたはスカート等のずれ落ち防止にも効果がある。また、裾をズボン・スカートの中に入れずに着用した場合、シャツの新しいデザインとしての効果も生じる。
【発明を実施するための最良の形態】
【００１０】
主にズボン・スカートの中に入れて着用するのを目的としたシャツの左右ウエスト下方部に文字・絵・模様等の刺繍を施すものである。
【実施例１】
【００１１】
実施例１として、シャツ１の左右ウエスト下方部、ズボン・スカート等着用時のベルト位置から１００ミリから２００ミリ下方の位置に文字・絵・模様等の刺繍を施した。
【実施例２】
【００１２】
実施例１の刺繍を、シャツ１の左右どちらか一方のウエスト下方部に施した。
【００１３】
本発明はズボンまたはスカート等３の内側に入れて使用するもので、次のように作用する。本発明の刺繍部２がウエスト下方部に位置するため、ベルト４またはズボン、スカート等３と身体５で保持させることができ、摩擦抵抗によりシャツのはみ出し等を防止することができる。また、刺繍部の厚さが薄いため、身体の軽い動きを束縛しない。
【００１４】
なお、本明細書の用語及び表現は説明上のもので、等価の用語及び表現を除外するものではない。また、本発明の刺繍部の位置はウエスト下方部であれば、どの位置でもよい。
【図面の簡単な説明】
【００１５】
【図１】本発明の正面図である。
【図２】本発明の背面図である。
【図３】本発明の刺繍部付近の側面図である。
【図４】本発明の刺繍部付近の断面図である。
【図５】本発明使用時の断面図である。
【符号の説明】
【００１６】
１  シャツ  
２  刺繍部
３  ズボンまたはスカート等
４  ベルト
５  身体